(57)【要約】【課題】本発明は、断線時間を可能な限り０に近づけて、切替作業に係る時間の短縮、作業効率の向上に寄与できる導通補助具を提供する。【解決手段】導電線を絶縁被覆したコード部と、コード部の導電線の一側に接続された第１連結端子と、コード部の導電線の他側に接続された第２連結端子とを有する導通補助具であって、第１連結端子と第２連結端子は、被連結部と連結可能な形状とされ、少なくとも互いに接触する２枚の連結片を有し、第１連結端子は、２枚の連結片が導通部材であり、第２連結端子は、２枚の連結片のうち１枚が非導通部材である。【選択図】図１
2017073663.tif 000002
【特許請求の範囲】
【請求項１】
導電線を絶縁被覆したコード部と、当該コード部の前記導電線の一側に接続された第１連結端子と、当該コード部の前記導電線の他側に接続された第２連結端子とを有する導通補助具であって、
前記第１連結端子と前記第２連結端子は、被連結部と連結可能な形状とされ、少なくとも互いに接触する２枚の連結片を有し、
前記第１連結端子は、前記２枚の連結片が導通部材であり、前記第２連結端子は、前記２枚の連結片のうち１枚が非導通部材であることを特徴とする導通補助具。
【請求項２】
前記被連結部との連結を解除可能に係止する係止機構を有することを特徴とする請求項１に記載の導通補助具。
【請求項３】
前記第１連結端子と前記第２連結端子が、一対の連結端子であることを識別可能な識別手段が備えられていることを特徴とする請求項１又は２に記載の導通補助具。
【請求項４】
複数の前記導通補助具を纏める結束手段を有していることを特徴とする請求項１に記載の導通補助具。
【請求項５】
請求項１乃至４の何れか一項に記載の導通補助具を用いて、電話機側端子板に接続された既設の交換機側端子板からのジャンパ線を新設の交換機側端子板からのジャンパ線に切替えるジャンパ線の切替方法であって、
前記既設の交換機側端子板の、交換機側の端子と電話機側端子板側の端子とを有する連結部内に、前記導通補助具の前記第１連結端子を当該交換機側の端子と前記電話機側端子板側の端子との間に挿入する第１工程と、
前記電話機側端子板の、交換機側端子板側の端子と電話機側の端子とを有する連結部内に、前記導通補助具の前記第２連結端子を当該交換機側端子板側の端子と前記電話機側の端子との間に挿入して、前記既設の交換機側端子板と前記電話機側端子板との間にバイパス路を形成する第２工程と、
前記電話機側端子板に接続されている前記既設の交換機側端子板からのジャンパ線を取外す第３工程と、
前記電話機側端子板へ前記新設の交換機側端子板からのジャンパ線を接続する第４工程と、
前記電話機側端子板の前記連結部内に挿入された前記導通補助具の前記第２連結端子を取外す第５工程と、を有することを特徴とする導通補助具を用いたジャンパ線の切替方法。
【発明の詳細な説明】
【技術分野】
【０００１】
本発明は、導通補助具、及び導通補助具を用いたジャンパ線の切替方法に関する。
【背景技術】
【０００２】
従来より、多機能化や耐用年数の経過により電話交換機を次世代交換機に切替る際には、構内電話機と交換機（ＰＢＸ）との間に介在される主配線盤（ＭＤＦ：Ｍａｉｎ  Ｄｉｓｔｒｉｂｕｔｉｎｇ  Ｆｒａｍｅ）における構内電話機側端子板（以下、電話機側端子板と称す）と交換機側端子板を繋ぐ２線式電線（ジャンパ線と称す）の切替作業（繋ぎ替え）が行われてきた。
【０００３】
電話機側端子板に接続されている旧交換機側端子板のジャンパ線を、新交換機側端子板からのジャンパ線に切替る際、
（１）電話機側端子板に新・旧双方の交換機側端子板からのジャンパ線を繋ぐ。即ち、電話機側端子板に接続されている旧交換機側端子板からのジャンパ線を一旦抜いて、新交換機側端子板からのジャンパ線を接続する。その後、再度旧交換機側端子板からのジャンパ線を接続する。その後、新交換機側端子板を開通させ、旧交換機側端子板に接続されるジャンパ線を切り離す２重ジャンパと呼ばれる方法により切り替える方法がある（例えば、特許文献１）。
【０００４】
（２）また、単純に電話機側端子板に接続されている旧交換機側端子板からのジャンパ線を抜き、新交換機側端子板からのジャンパ線を接続することで、旧交換機側端子板から新交換機側端子板へ切替える方法もある。
【先行技術文献】
【特許文献】
【０００５】
【特許文献１】特開２０１１−５５０５１号公報
【発明の概要】
【発明が解決しようとする課題】
【０００６】
しかし、（１）、（２）の切替方法は、電話機側端子板に対してジャンパ線を抜き差しする作業（切替作業）の間は断線しており、約１０分程度通話が出来ない状況になる。したがって、作業者はジャンパ線の切替作業を、スピーディーに行う必要があるが、切替作業は面倒でありジャンパ線の数が膨大にあると、作業効率が悪く施工能率が低くなる。
【０００７】
また、上記の切替方法は、切替え前に構内電話機が通話中でないかを確認（モニタリング）し、通話中の場合には通話終了まで切替作業を待たなければならず、切替作業時間が長期化する問題があった。
【０００８】
したがって、ジャンパ線の切替時において、断線時間を実質的に０に近づけて、切替作業に係る時間の短縮、作業効率の向上を実現させる手段が求められている。
【０００９】
本発明の一態様の目的は、上記課題に鑑みてなされたものであって、断線時間を実質的に０に近づけて、切替作業に係る時間の短縮、作業効率の向上に寄与できる導通補助具を提供することにある。
【課題を解決するための手段】
【００１０】
上記課題を解決するため、本発明の一態様によれば、
導電線を絶縁被覆したコード部と、当該コード部の前記導電線の一側に接続された第１連結端子と、当該コード部の前記導電線の他側に接続された第２連結端子とを有する導通補助具であって、
前記第１連結端子と前記第２連結端子は、被連結部と連結可能な形状とされ、少なくとも互いに接触する２枚の連結片を有し、
前記第１連結端子は、前記２枚の連結片が導通部材であり、前記第２連結端子は、前記２枚の連結片のうち１枚が非導通部材であることを特徴とする導通補助具が提供される。
【発明の効果】
【００１１】
本発明の一態様によれば、断線時間を実質的に０に近づけて、切替作業に係る時間の短縮、作業効率の向上に寄与できる導通補助具を提供できる。
【図面の簡単な説明】
【００１２】
【図１】本発明の第１の実施形態に係る導通補助具の一例を示す説明図である。
【図２】本発明の第１の実施形態に係る導通補助具の第１連結端子と第２連結端子を示す断面図であり、Ａは図１のＩ−Ｉ矢視断面図、Ｂは図１のＩＩ−ＩＩ矢視断面図を示している。
【図３】導通補助具の使用例を説明する概要図である。
【図４】本発明の第２の実施形態に係る導通補助具を用いたジャンパ線の切替方法を説明するための全体構成の概略を示す説明図である。
【図５】導通補助具を用いたジャンパ線の切替方法の概要を説明する説明図である。
【図６】既設の交換機側端子板と電話機側端子板との間に導通補助具によるバイパス路を形成する構成を説明する概略側面図である。
【図７】導通補助具の変形例を示す斜視図である。
【発明を実施するための形態】
【００１３】
［第１の実施形態］
以下、本発明を実施するための形態について図面を参照して説明する。各図面中、同一又は相当する部分には同一の符号を付しており、その重複説明は適宜簡略化ないし省略する。図面は、部材もしくは部品間の相対比を示すことを目的としない。したがって、具体的な寸法は、以下の限定的でない実施形態に照らし、当業者により決定することができる。
本実施形態の導通補助具１は、少なくとも２種類の電気機器との間にバイパス路を形成する際に好適に使用される。特には通電を遮断せずに電気機器の交換・切替を行う際に好適に使用できるものである。しかし、他の電気機器同士を一時的に連結する際にも適宜使用できる。
【００１４】
図１は、本発明の第１の実施形態に係る導通補助具１の構成を説明する説明図である。図２は、本発明の第１の実施形態に係る導通補助具の第１連結端子と第２連結端子を示す断面図であり、Ａは図１のＩ−Ｉ矢視断面図、Ｂは図１のＩＩ−ＩＩ矢視断面図を示している。
【００１５】
本実施形態の導通補助具１は、導電線２を絶縁被覆したコード部３と、当該コード部３の導電線２の一側に接続された第１連結端子４と、当該コード部３の導電線２の他側に接続された第２連結端子５を有している。
【００１６】
本実施形態の導通補助具１は、２線方式とされており、１本の導電線２とその両端に設けられた第１連結端子４と第２連結端子５によるライン（線）が、２ライン（２線）存在しており、２ラインは一対の関係で一体化されている。以下、右側ラインの部材を指す場合にはＲを付し、左側ライン上の部材を指す場合にはＬを付す。但し、部材の総称を指す場合にはＲ、Ｌを付さない。
【００１７】
第１連結端子４と第２連結端子５とは、導電線２により導通可能な構成とされている。第１連結端子４と第２連結端子５は、固定部６によりコード部３と連結されている。固定部６は、絶縁体などで構成されて良い。
【００１８】
右側の第１連結端子４Ｒと左側の第１連結端子４Ｌとの間には絶縁体４０が設けられている。同様に右側の第２連結端子５Ｒと左側の第２連結端子５Ｌとの間には絶縁体５０が設けられている。また、右側の導電線２Ｒと左側の導電線２Ｌは、互いに導通しないように絶縁被覆されている。
【００１９】
第１連結端子４Ｒと第１連結端子４Ｌ、及び第２連結端子５Ｒと第２連結端子５Ｌとは、それぞれ同様の構成であるため、以下、第１連結端子４と第２連結端子５と総称して構成を説明する。
【００２０】
第１連結端子４と第２連結端子５は、被連結部と連結可能な形状とされている。被連結部とは例えばソケットやコネクタなど通電用の端子を有し、他の端子などと連結可能な構成とされている部材を指す。
【００２１】
本実施形態の第１連結端子４は、互いに接触する２枚の連結片４ａ、４ｂを有している。連結片４ａ、４ｂは導電線２と電気的に接続されている。連結片４ａ、４ｂは被連結部と連結（又は挿入）しやすい長方形であることが好ましい。
【００２２】
連結片４ａ、４ｂは、それぞれ一側面（内側面）同士が当接される状態で一体化されている。一体化された連結片４ａの外側面と、連結片４ｂの外側面は、それぞれ被連結部の異なる端子と接触する面となる。
【００２３】
本実施形態の第２連結端子５も第１連結端子４と同じく、互いに接触する２枚の連結片５ａ、５ｂを有している。連結片５ａ、５ｂは導電線２と電気的に接続されている。連結片５ａ、５ｂは被連結部と連結（又は挿入）しやすい長方形であることが好ましい。連結片５ａ、５ｂは、それぞれ一側面（内側面）同士が当接される状態で一体化されている。一体化された連結片５ａの外側面と、連結片５ｂの外側面は、それぞれ被連結部の異なる端子と接触する面となる。
【００２４】
上記した連結片４ａ、４ｂ、５ａ、５ｂの形状は適宜設計変更が可能である。例えば、先端部が半円弧形や楕円形に形成されていても良いし、テーパ面が設けられていても良い。
【００２５】
本実施形態の導通補助具１は、第１連結端子４の連結片４ａ、４ｂと、第２連結端子５の連結片５ａ、５ｂとがそれぞれ異なる構成とされている点に特長がある。
【００２６】
即ち、第１連結端子４は、２枚の連結片４ａ、４ｂがそれぞれ導通可能な部材で構成されている。導通可能な部材とは、金属製であり、好ましくは銅である。したがって、第１連結端子４は、一体化された連結片４ａと連結片４ｂとが導通状態となる構成である。
【００２７】
第２連結端子５は、２枚の連結片５ａ、５ｂのうち１枚、例えば連結片５ｂが非導通部材に構成されている。連結片５ａは、前記した連結片４ａ、４ｂと同様に導通部材である。非導通部材とは、絶縁体でありゴムやプラスティックなどである。
【００２８】
第２連結端子５は、一体化された連結片５ａと連結片５ｂとが非導通状態となる構成である。
【００２９】
したがって、第１連結端子４を第１の被連結部の異なる２つの端子の間に挿入し、第２連結端子５を第２の被連結部の異なる２つの端子の間に挿入すると、第１の連結部と第２の連結部との間に新たなバイパス路を形成できる。以下その概念を図３から具体的に説明する。なお図３において、説明の関係上第１連結端子４と第２連結端子５は総称で説明する。
【００３０】
上記構成の導通補助具１は、例えば図３に示す機器の切替において好適に実施できる。
電気機器Ａ（以下、単に機器という）と機器Ｂとがジャンパ線Ｊ１で電気的に連結されている状態において、機器Ａを機器Ａ’に切替る際、導通補助具１を使用する概要を図３から説明する。因みに機器Ａ及び機器Ｂは他の機器とも電気的に連結されている。
【００３１】
図３Ａに示す機器Ａと機器Ｂとがジャンパ線Ｊ１で電気的に連結されている状態において、図３Ｂに示すように、機器Ａの被連結部３０に第１連結端子４を接続する。被連結部３０には他の機器からの連結線Ｌと接続される端子３０ａと、ジャンパ線Ｊ１と接続される端子３０ｂを有している。第１連結端子４は端子３０ａ、３０ｂの間に挿入される。
【００３２】
次に、機器Ｂの被連結部３１に第２連結端子５を接続する。被連結部３１には機器Ａからのジャンパ線Ｊ１と接続される端子３１ａと、他の機器の連結線Ｒと接続される端子３１ｂを有している。第２連結端子５は端子３１ａ、３１ｂの間に挿入される。このとき連結片５ａは端子３１ｂと、連結片５ｂ（非導通部材）は端子３１ａと接触するように挿入される。すると、機器Ａの端子３０ａ、３０ｂの間から伸びる新たな導通回路が機器Ｂの端子３１ｂと導通されてバイパス路２０を形成できる。このときジャンパ線Ｊ１は非導通状態となっている。
【００３３】
次にバイパス路２０を形成している間に、図３Ｃに示すように機器Ｂに接続されている機器Ａからのジャンパ線Ｊ１を外す。しかしバイパス路２０によって機器Ａと機器Ｂは導通状態にあり、機器Ｂは断線されない。このとき被連結部３１の端子３１ａは、開放状態となっている。
【００３４】
図３Ｄに示すように、機器Ｂの開放状態とされた端子３１ａに機器Ａ’からのジャンパ線Ｊ２を接続する。機器Ａ’には他の機器の連結線Ｌ’と接続される端子３２ａと機器Ｂへのジャンパ線Ｊ２と接続される端子３２ｂを有しており、端子３２ａと３２ｂは導通状態である。
【００３５】
次に、図３Ｅに示すように、機器Ｂの被連結部３１に挿入された第２連結端子５を抜くと、機器Ｂは機器Ａ’と接続状態となり機器の切替が完了する。
【００３６】
接続切替時に機器Ｂが断線される時間は、第２連結端子５を引く抜く一瞬だけであるため実質的に０に等しい。したがって、切替作業にかかる時間の短縮と、作業効率の向上をならしめる。以下に、その点を後述する導通補助具を用いたジャンパ線の切替方法から具体的に説明する。
【００３７】
コード部３の長さは、適宜変更されるが、電話交換機のジャンパ線の切替に使用する場合には２〜３ｍが好ましい。
【００３８】
本実施形態の導通補助具１は、例えば固定部６などに被連結部との連結を解除可能に係止する係止機構を有して良い。係止機構は、例えば把持部や押圧部などにより係止する構成とされて良い。
【００３９】
また、導通補助具１は、第１連結端子４と第２連結端子５が、一対の連結端子であることを識別可能な識別手段が備えられていることが好ましい。例えば第１連結端子４に「Ｖ−１」という識別子が記載され、第２連結端子５には「Ｈ−１」という識別子が記載される。これは、複数の導通補助具１を同時に使用する場合に、混線したり、連結（接続）箇所を間違えることを防止できる。したがって、他の導通補助具１には、例えば第１連結端子４に「Ｖ−２」という識別子が記載され、第２連結端子５には「Ｈ−２」という識別子が記載されて良い。また色により識別させる構成であって良い。
【００４０】
複数の導通補助具１を同時に使用する場合のために、導通補助具１には複数の導通補助具１を纏める結束手段を備えていることが好ましい。結束手段は、例えば引止ロックや専用のボックス、フレーム材などであって良い。
【００４１】
（導通補助具を用いたジャンパ線の切替方法）
次に、導通補助具を用いたジャンパ線の切替方法を図４〜図６に基づいて説明する。図４は、第２の実施形態に係る導通補助具を用いたジャンパ線の切替方法を説明するための全体構成の概略を示す説明図である。図５は、導通補助具を用いたジャンパ線の切替方法の概要を説明する説明図である。図６は、既設の交換機側端子板と電話機側端子板との間に導通補助具によるバイパス路を形成する構成を説明する概略側面図である。
【００４２】
図４に示すように、従来からオフィスビルや集合住宅などの建物には複数の構内電話機１０と、主配線盤室１２（ＭＤＦ：Main  Distributing  Frame）（以下、単にＭＤＦ室１２という）が配置されている。
【００４３】
ＭＤＦ室１２内には、回線端子板１３と、８回線型端子板などを有する端子ユニット１４と、交換機１５（既設）が配置されている。また、交換機１５と構内電話機１０との間には、交換機側端子板１６と構内電話機側端子板１８（以下、電話機側端子板１８と称す）が配置されている。交換機側端子板１６と電話機側端子板１８とは２線式電線（ジャンパ線１６ａと称す）により接続されている。交換機側端子板１６は、Ｖ架側端子板であって良い。（ＶはＶｅｒｔｉｃａｌの略）また、電話機側端子板１８は、Ｈ架側端子板であって良い（ＨはＨｏｒｉｚｏｎｔａｌの略）。
【００４４】
本実施形態の交換機側端子板１６は８端子を有し、電話機側端子板１８は１０端子を有しているが、この限りではなく端子数は限定されない。更に、図示した交換機側端子板１６と電話機側端子板１８の配置は、標準的な設備を示したものであり、他の配置においても同様に実施可能である。例えば、交換機側端子板１６と電話機側端子板１８が縦一列に並んで配置されても良く、配置構成は特に限定されない。
【００４５】
交換機側端子板１６には、交換機１５側の端子１７ａと電話機側端子板１８側の端子１７ｂとを有する連結部１７が、８端子（８個）分設けられている。
【００４６】
端子１７ａは、図６に示すように一側が交換機１５からの接続線１５ａと連結され、他側が端子１７ｂと接触する構成である。端子１７ｂは、一側が電話機側端子板１８と接続されるジャンパ線１６ａと連結され、他側が端子１７ａと接触する構成である。
【００４７】
端子１７ａと端子１７ｂは、下方に延在したのち内方に向けて屈曲するレの字形状に形成されており、双方を対峙させたときＭ字形状となるように配置されて良い。但し端子１７ａと端子１７ｂの形状は図示の限りではない。端子１７ａと端子１７ｂとは、常時接触状態（導通状態）となるように内方に向けて弾性力が発揮される構成とされている。また、端子１７ａと端子１７ｂとの間は、前記した導通補助具１の第１連結端子４を挿入可能な形状を有している。
【００４８】
電話機側端子板１８には、交換機側端子板１６と同様に、交換機側端子板１６側の端子１９ａと構内電話機１０側の端子１９ｂとを有する連結部１９が、１０端子（１０個）分設けられている。
【００４９】
端子１９ａは、一側が交換機側端子板１６からのジャンパ線１６ａと連結され、他側が端子１９ｂと接触する構成である。端子１９ｂは、一側が構内電話機１０と接続される構内ケーブル１８ａと連結され、他側が端子１９ａと接触する構成である。
【００５０】
端子１９ａと端子１９ｂは、下方に延在したのち内方に向けて屈曲するレの字形状に形成されており、双方を対峙させたときＭ字形状となるように配置されて良い。但し端子１９ａと端子１９ｂの形状は図示の限りではない。端子１９ａと端子１９ｂとは、常時接触状態（導通状態）となるように内方に向けて弾性力が発揮される構成とされている。また、端子１９ａと端子１９ｂとの間は、前記した導通補助具１の第２連結端子５を挿入可能な形状を有している。
【００５１】
本実施形態に係る導通補助具１を使用したジャンパ線の切替方法は、具体的にはＭＤＦ室１２内の端子ユニット１４、交換機１５、交換機側端子板１６を、端子ユニット１４０、交換機１５０、交換機側端子板１６０とに切替る際に、電話機側端子板１８に接続された交換機側端子板１６のジャンパ線１６ａを、新設の交換機側端子板１６０のジャンパ線１６０ａと切替える（繋替える）方法である（図４参照）。本実施形態の電話機側端子板１８と、交換機側端子板１６、１６０の１端子におけるジャンパ線１６ａ、１６０ａは２線方式であり、導通補助具１も２線方式である。以下、説明の関係上、線毎（ライン毎）の説明は省略し、部材の総称で説明するものとする。
【００５２】
新設の交換機側端子板１６０の構成は、既設の交換機側端子板１６と同じであるため、あえて説明することは省略する。
【００５３】
以下に、電話機側端子板１８に接続されたジャンパ線１６ａをジャンパ線１６０ａに切替える方法を具体的に説明する。本実施形態では、一対の連結部（１７、１９）おける切替方法を例に取り説明する。実際の作業では一対の連結部における切替方法を、用意された連結部の数だけ繰り返す。
【００５４】
本実施形態のジャンパ線の切替方法は、先ず端子ユニット１４０、交換機１５０、交換機側端子板１６０が所定の位置に配置される。また、新設の交換機側端子板１６０には既にジャンパ線１６０ａが接続されているものとする。
【００５５】
ジャンパ線の切替方法の第１工程（１）は、交換機側端子板１６の連結部１７の端子１７ａと端子１７ｂとの間に、導通補助具１の第１連結端子４を挿入する。図５では左側部分を指している。第１連結端子４の連結片４ａ、４ｂは前述の通り導通部材である。勿論このとき、既設の交換機１５は電源オン状態とされている。
【００５６】
第２工程（２）では、電話機側端子板１８の連結部１９の端子１９ａと端子１９ｂとの間に、導通補助具１の第２連結端子５を挿入する。第２連結端子５の連結片５ｂは前述の通り非導通部材である。すると、既設の交換機側端子板１６と電話機側端子板１８との間にバイパス路２０が形成される。バイパス路２０は、交換機側端子板１６の連結部１７の端子１７ａと端子１７ｂから伸び、電話機側端子板１８の連結部１９の構内ケーブル１８ａ側の端子１９ｂと導通される（図６参照）。
【００５７】
つまり、このとき交換機側端子板１６と電話機側端子板１８とは新たなバイパス路２０を介して導通されており、以下の工程を行う際に遮断状態になることがない。
【００５８】
上記第１、第２工程により、交換機側端子板１６と電話機側端子板１８との間にバイパス路２０を形成すると、交換機側端子板１６と電話機側端子板１８とを接続していたジャンパ線１６ａは非導通状態（フリー状態）となる。
【００５９】
第３工程（３）は、電話機側端子板１８に接続されている非導通状態のジャンパ線１６ａを取外す。すると、電話機側端子板１８の連結部１９の端子１９ａの一側が開放状態となる。
【００６０】
第４工程（４）では、電話機側端子板１８へ新設の交換機側端子板１６０からのジャンパ線１６０ａを接続する。具体的には開放状態となった連結部１９の端子１９ａの一側にジャンパ線１６０ａを新たに接続する。このときも、交換機側端子板１６と電話機側端子板１８とはバイパス路２０により導通状態である。そのため、従来のように切替時間を急かされることなく、ジャンパ線１６ａと１６０ａの繋替作業をしっかりと確認しながら正確に行う時間の余裕があるため施工能率が向上される。
【００６１】
第５工程（５）では、電話機側端子板１８の連結部１９内に挿入された導通補助具１の第２連結端子５を取外す。第２連結端子５を連結部１９から引き抜くと、瞬時に端子１９ａと端子１９ｂが接触して導通状態となる。つまり、端子１９ａと端子１９ｂとが通常の接触状態に戻る。新設の交換機１５０は、第５工程に入る前に電源オン状態にされており、端子１９ａには新たなジャンパ線１６０ａが接続されているため、第２連結端子５を引き抜いた直後に、電話機側端子板１８は新設の交換機側端子板１６０に接続対象が切替る。電話機側端子板１８の導通は、第２連結端子５を引き抜く際のわずかな瞬間のみ断線されるが、断線時間は実質的に０に等しい。
【００６２】
しかる後に、既設の交換機側端子板１６の連結部１７内に挿入された導通補助具１の第１連結端子４を取外してジャンパ線の切替作業を終了する。
【００６３】
本実施形態の導通補助具１を使用したジャンパ線の切替方法は、端的に云うと導通補助具１を交換機側端子板１６と電話機側端子板１８との間に接続することでバイパス路２０を形成し、バイパス路２０を形成している間に、交換機側端子板１６のジャンパ線を新たな交換機側端子板１６０のジャンパ線と切替える方法である。
【００６４】
断線時間は導通補助具１の第２連結端子５を引く抜く一瞬の時間のみのほぼ０であり無瞬断工事を実現できる。のみならず、新設の交換機側端子板１６０への切替は第２連結端子５を引く抜くだけの非常に簡易な方法で実現されて、切替作業時間を大幅に短縮し作業効率を飛躍的に向上できる。
【００６５】
また、無瞬断工事を実現できるため、回線借用時間を短縮でき、従来長期化の要因の一つとなっていた切替前のモニタリング作業を廃止できる。
【００６６】
（変形例）
通電補助具１は、図１、２に示した限りではない。図７に示すように、図１、図２に示す１本の導通補助具１を複数本（図示例では８本）束ね、その外周面を絶縁被覆３００で覆って一体化させた構成の導通補助具１００も実施可能である。これは特に端子が複数ある端子板に使用する際に有効である。束ねる導通補助具１の本数は適宜変更される。また、絶縁被覆３００は、各固定部６からある程度の距離を空けて装着されている。これは、複数の第１連結端子４及び第２連結端子５を被連結部内へ挿入しやすくする所謂「あそび」である。
【００６７】
以上、本発明の好ましい実施形態について詳述したが、本発明は上記した特定の実施形態に限定されるものではなく、特許請求の範囲に記載された本発明の要旨の範囲内において、種々の変形、変更等が可能である。導通補助具１を、電話交換機に係るジャンパ線の切替に使用する例を示したが、他のジャンパ線の切替においても同様に実施できる。
【符号の説明】
【００６８】
１      導通補助具
２      導電線
３      コード部
４      第１連結端子
４ａ    連結片
４ｂ    連結片
５      第２連結端子
５ａ    連結片
５ｂ    連結片（非導通部材）
６      固定部
１０    構内電話機
１２    ＭＤＦ室
１３    回線端子板
１４    端子ユニット
１５    交換機
１６    交換機側端子板
１６ａ  ジャンパ線
１７    連結部
１７ａ、１７ｂ  端子
１８    電話機側端子板
１９    連結部
１９ａ、１９ｂ  端子
２０        バイパス路
１４０    端子ユニット（新設）
１５０    交換機（新設）
１６０    交換機側端子板（新設）
１６０ａ    ジャンパ線（新設）
【図１】
2017073663.tif 000003
【図２】
2017073663.tif 000004
【図３】
2017073663.tif 000005
【図４】
2017073663.tif 000006
【図５】
2017073663.tif 000007
【図６】
2017073663.tif 000008
【図７】
2017073663.tif 000009